【手続補正書】
【提出日】令和1年12月24日(2019.12.24)
【手続補正１】
【補正対象書類名】明細書
【補正対象項目名】０００６
【補正方法】削除
【補正の内容】
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
上記目的を達成するために、請求項１に記載の技術は、弁孔と弁孔の縁部に形成されたシート面を含む弁座と、シート面に対応するシール面が外周に形成された弁体と、先端部と基端部を含み、先端部に弁体が一体的に設けられ、弁体を回動させるための回転軸とを備え、回転軸の軸線が弁体及び弁孔の径方向と平行に伸びており、回転軸の軸線が弁孔の中心から弁孔の径方向へ偏心して配置されると共に、シール面が回転軸の軸線から弁体の軸線が伸びる方向へ偏心して配置され、回転軸を回転させることにより、弁体を弁座に着座する全閉位置と弁座から最も離れる全開位置との間で回動するように構成した二重偏心弁において、回転軸を回転させる駆動力を発生する駆動源と、回転軸の基端部に一体的に設けられ、回転軸を回転させるために駆動力を受給する弁ギヤと、回転軸の基端部の側に配置され、回転軸の先端部を自由端部として回転軸を回転可能に片持ち支持するための軸受と、弁体が閉弁する方向へ回転軸を回転させるスプリング力を弁ギヤへ付与するためのリターンスプリングと、弁体が全閉位置に配置された状態で、回転軸と共に弁ギヤの回転を規制するために弁ギヤの一部が当接する全閉ストッパとを備え、軸受は、回転軸の基端部の側に配置される第１の軸受及び第２の軸受を含み、第１の軸受が第２の軸受よりも弁ギヤに近い位置に配置され、駆動源の非駆動時に、弁ギヤへ付与されるスプリング力により弁ギヤの一部が全閉ストッパに当接し、その当接点を支点として弁ギヤに作用するモーメントが回転軸に作用することにより、第１の軸受との接点を支点とし、第２の軸受との間に微細なクリアランスを保ちながら回転軸をその軸線の方向において弁座へ向けて傾けて弁体を前記弁座に押し付けることを趣旨とする。
【手続補正４】
【補正対象書類名】明細書
【補正対象項目名】０００９
【補正方法】変更
【補正の内容】
【０００９】
上記技術の構成によれば、弁体が全閉位置に配置された全閉状態において駆動源の駆動が停止し、弁ギヤへの駆動力の供給が停止すると、弁ギヤには、リターンスプリングのスプリング力のみが弁体を閉弁させる方向へ作用する。このとき、弁ギヤの一部と全閉ストッパとの当接点を支点として弁ギヤにモーメントが作用し、そのモーメントによる押し上げ力が回転軸の基端部に作用する。これにより、軸受との接点を支点として回転軸が軸線の方向へ傾けられ、弁体が弁座に押し付けられる。また、回転軸が軸線の方向へ傾けられるとき、第２の軸受と回転軸との間には、微細なクリアランスが保たれ、回転軸と第２の軸受は厳密には接しないので、弁体には回転軸を傾ける最大限の力が作用する。
【手続補正５】
【補正対象書類名】明細書
【補正対象項目名】００１０
【補正方法】変更
【補正の内容】
【００１０】
上記目的を達成するために、請求項２に記載の技術は、請求項１に記載の技術において、弁体が全閉位置に配置された状態であって、回転軸の基端部に固定された弁ギヤを、回転軸を中心に基端部の側から視た状態において、回転軸の軸線を原点とし、Ｘ軸を水平方向とし、Ｙ軸を鉛直方向とする直交座標系を想定した場合に、＋Ｘ軸方向かつ＋Ｙ軸方向を第１象限、−Ｘ軸方向かつ＋Ｙ軸方向を第２象限、−Ｘ軸方向かつ−Ｙ軸方向を第３象限、＋Ｘ軸方向かつ−Ｙ軸方向を第４象限としたとき、弁座と弁体が第３象限及び第４象限に配置され、弁ギヤの一部と全閉ストッパとの当接点が、第１象限又は第４象限に配置され、弁ギヤが時計方向へ回転する方向にスプリング力が作用することを趣旨とする。
【手続補正６】
【補正対象書類名】明細書
【補正対象項目名】００１１
【補正方法】変更
【補正の内容】
【００１１】
上記技術の構成によれば、請求項１に記載の技術の作用に加え、弁座と弁体及び弁ギヤの一部と全閉ストッパとの当接点の配置の関係から、モーメントによる回転軸を軸線の方向へ傾ける力が弁体に対し効果的に作用する。
【手続補正７】
【補正対象書類名】明細書
【補正対象項目名】００１２
【補正方法】変更
【補正の内容】
【００１２】
上記目的を達成するために、請求項３に記載の技術は、請求項１に記載の技術において、弁体が全閉位置に配置された状態であって、回転軸の基端部に固定された弁ギヤを、回転軸を中心に基端部の側から視た状態において、回転軸の軸線を原点とし、Ｘ軸を水平方向とし、Ｙ軸を鉛直方向とする直交座標系を想定した場合に、＋Ｘ軸方向かつ＋Ｙ軸方向を第１象限、−Ｘ軸方向かつ＋Ｙ軸方向を第２象限、−Ｘ軸方向かつ−Ｙ軸方向を第３象限、＋Ｘ軸方向かつ−Ｙ軸方向を第４象限としたとき、弁座と弁体が第３象限及び第４象限に配置され、弁ギヤの一部と全閉ストッパとの当接点が、第２象限又は第３象限に配置され、弁ギヤが反時計方向へ回転する方向にスプリング力が作用することを趣旨とする。
【手続補正８】
【補正対象書類名】明細書
【補正対象項目名】００１３
【補正方法】変更
【補正の内容】
【００１３】
上記技術の構成によれば、請求項１に記載の技術の作用に加え、弁座と弁体及び弁ギヤの一部と全閉ストッパとの当接点の配置の関係から、モーメントによる回転軸を軸線の方向へ傾ける力が弁体に対し効果的に作用する。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
請求項１に記載の技術によれば、駆動源の非駆動時にも、弁体を弁座に押し付けて両者の間を封止し続けることができる。また、弁体と弁座との間を最大限の力で封止することができる。
【手続補正１１】
【補正対象書類名】明細書
【補正対象項目名】００１６
【補正方法】変更
【補正の内容】
【００１６】
請求項２に記載の技術によれば、請求項１に記載の技術の効果に加え、弁体を弁座に対し効果的に押し付けることができる。
【手続補正１２】
【補正対象書類名】明細書
【補正対象項目名】００１７
【補正方法】変更
【補正の内容】
【００１７】
請求項３に記載の技術によれば、請求項１に記載の技術の効果に加え、弁体を弁座に対し効果的に押し付けることができる。
【手続補正１３】
【補正対象書類名】明細書
【補正対象項目名】００５３
【補正方法】変更
【補正の内容】
【００５３】
（３）前記第２実施形態では、図２０において、弁座１３と弁体１４（共に図示略）を第３象限及び第４象限に配置し、弁ギヤ４１の開閉当たり部４１ｃと全閉ストッパ３５ｃとの当接点（支点Ｓ１）を、第２象限に配置し、弁ギヤ４１が反時計方向へ回転する方向にスプリング力が作用するように設定した。これに対し、弁座と弁体を第３象限及び第４象限に配置し、弁ギヤの開閉当たり部と全閉ストッパとの当接点（支点）を、第２象限と第３象限の境目に配置し、弁ギヤが反時計方向へ回転する方向にスプリング力が作用するように設定することもできる。この場合、スプリングモーメントそのものが回転軸の主軸線に対し鉛直方向に作用することになり、弁体を弁座に対し最も効果的に押し付けることができる。
【手続補正１４】
【補正対象書類名】特許請求の範囲
【補正対象項目名】全文
【補正方法】変更
【補正の内容】
【特許請求の範囲】
【請求項１】
弁孔と前記弁孔の縁部に形成されたシート面を含む弁座と、
前記シート面に対応するシール面が外周に形成された弁体と、
先端部と基端部を含み、前記先端部に前記弁体が一体的に設けられ、前記弁体を回動させるための回転軸と
を備え、前記回転軸の軸線が前記弁体及び前記弁孔の径方向と平行に伸びており、前記回転軸の軸線が前記弁孔の中心から前記弁孔の径方向へ偏心して配置されると共に、前記シール面が前記回転軸の軸線から前記弁体の軸線が伸びる方向へ偏心して配置され、前記回転軸を回転させることにより、前記弁体を前記弁座に着座する全閉位置と前記弁座から最も離れる全開位置との間で回動するように構成した二重偏心弁において、
前記回転軸を回転させる駆動力を発生する駆動源と、
前記回転軸の前記基端部に一体的に設けられ、前記回転軸を回転させるために前記駆動力を受給する弁ギヤと、
前記回転軸の前記基端部の側に配置され、前記回転軸の前記先端部を自由端部として前記回転軸を回転可能に片持ち支持するための軸受と、
前記弁体が閉弁する方向へ前記回転軸を回転させるスプリング力を前記弁ギヤへ付与するためのリターンスプリングと、
前記弁体が前記全閉位置に配置された状態で、前記回転軸と共に前記弁ギヤの回転を規制するために前記弁ギヤの一部が当接する全閉ストッパと
を備え、
前記軸受は、前記回転軸の前記基端部の側に配置される第１の軸受及び第２の軸受を含み、前記第１の軸受が前記第２の軸受よりも前記弁ギヤに近い位置に配置され、
前記駆動源の非駆動時に、前記弁ギヤへ付与される前記スプリング力により前記弁ギヤの一部が前記全閉ストッパに当接し、その当接点を支点として前記弁ギヤに作用するモーメントが前記回転軸に作用することにより、前記第１の軸受との接点を支点とし、前記第２の軸受との間に微細なクリアランスを保ちながら前記回転軸をその軸線の方向において前記弁座へ向けて傾けて前記弁体を前記弁座に押し付ける
ことを特徴とする二重偏心弁。
【請求項２】
請求項１に記載の二重偏心弁において、
前記弁体が前記全閉位置に配置された状態であって、前記回転軸の前記基端部に固定された前記弁ギヤを、前記回転軸を中心に前記基端部の側から視た状態において、前記回転軸の前記軸線を原点とし、Ｘ軸を水平方向とし、Ｙ軸を鉛直方向とする直交座標系を想定した場合に、＋Ｘ軸方向かつ＋Ｙ軸方向を第１象限、−Ｘ軸方向かつ＋Ｙ軸方向を第２象限、−Ｘ軸方向かつ−Ｙ軸方向を第３象限、＋Ｘ軸方向かつ−Ｙ軸方向を第４象限としたとき、前記弁座と前記弁体が前記第３象限及び前記第４象限に配置され、前記弁ギヤの一部と前記全閉ストッパとの前記当接点が、前記第１象限又は前記第４象限に配置され、前記弁ギヤが時計方向へ回転する方向に前記スプリング力が作用する
ことを特徴とする二重偏心弁。
【請求項３】
請求項１に記載の二重偏心弁において、
前記弁体が前記全閉位置に配置された状態であって、前記回転軸の前記基端部に固定された前記弁ギヤを、前記回転軸を中心に前記基端部の側から視た状態において、前記回転軸の前記軸線を原点とし、Ｘ軸を水平方向とし、Ｙ軸を鉛直方向とする直交座標系を想定した場合に、＋Ｘ軸方向かつ＋Ｙ軸方向を第１象限、−Ｘ軸方向かつ＋Ｙ軸方向を第２象限、−Ｘ軸方向かつ−Ｙ軸方向を第３象限、＋Ｘ軸方向かつ−Ｙ軸方向を第４象限としたとき、前記弁座と前記弁体が前記第３象限及び前記第４象限に配置され、前記弁ギヤの一部と前記全閉ストッパとの前記当接点が、前記第２象限又は前記第３象限に配置され、前記弁ギヤが反時計方向へ回転する方向に前記スプリング力が作用する
ことを特徴とする二重偏心弁。
【請求項４】
弁孔と前記弁孔の縁部に形成されたシート面を含む弁座と、
前記シート面に対応するシール面が外周に形成された弁体と、
先端部と基端部を含み、前記先端部に前記弁体が一体的に設けられ、前記弁体を回動させるための回転軸と
を備え、前記回転軸の軸線が前記弁体及び前記弁孔の径方向と平行に伸びており、前記回転軸の軸線が前記弁孔の中心から前記弁孔の径方向へ偏心して配置されると共に、前記シール面が前記回転軸の軸線から前記弁体の軸線が伸びる方向へ偏心して配置され、前記回転軸を回転させることにより、前記弁体を前記弁座に着座する全閉位置と前記弁座から最も離れる全開位置との間で回動するように構成した二重偏心弁において、
前記回転軸を回転させる駆動力を発生する駆動源と、
前記回転軸の前記基端部に一体的に設けられ、前記回転軸を回転させるために前記駆動力を受給する弁ギヤと、
前記弁ギヤは、外周の一部に複数の歯を含む歯部が形成されることと、
前記回転軸の前記基端部の側に配置され、前記回転軸の前記先端部を自由端部として前記回転軸を回転可能に片持ち支持するための軸受と、
前記弁体が閉弁する方向へ前記回転軸を回転させるスプリング力を前記弁ギヤへ付与するためのリターンスプリングと、
前記弁体が前記全閉位置に配置された状態で、前記回転軸と共に前記弁ギヤの回転を規制するために前記弁ギヤの一部が当接する全閉ストッパと、
前記駆動源の前記駆動力を前記弁ギヤへ伝えるための中間ギヤと
を備え、
前記駆動源の非駆動時に、前記弁ギヤへ付与される前記スプリング力により前記弁ギヤの一部が前記全閉ストッパに当接し、その当接点を支点として前記弁ギヤに作用するモーメントが前記回転軸に作用することにより、前記軸受との接点を支点として前記回転軸をその軸線の方向において前記弁座へ向けて傾けて前記弁体を前記弁座に押し付けることと、
前記駆動源の駆動時にも、前記弁ギヤへ付与される前記スプリング力により前記弁ギヤの前記歯部の任意の一部と前記中間ギヤの任意の一部が当接し、その当接点を支点として前記弁ギヤに作用するモーメントが前記回転軸に作用することにより、前記軸受との前記接点を支点として前記回転軸をその軸線の方向において前記弁座へ向けて傾ける方向に付勢する
ことを特徴とする二重偏心弁。
【請求項５】
請求項２に記載の二重偏心弁において、
前記弁ギヤは、外周の一部に複数の歯を含む歯部が形成されることと、
前記駆動源の前記駆動力を前記弁ギヤへ伝えるための中間ギヤと
を更に備え、
前記弁体は、前記全閉位置となる前記第３象限及び前記第４象限と前記全開位置となる前記第１象限及び前記第４象限との間で回動するように構成され、前記弁体が回動するときに、前記弁ギヤの前記歯部の任意の一部と前記中間ギヤの任意の一部との当接点が、前記第１象限又は前記第４象限に配置される
ことを特徴とする二重偏心弁。
【請求項６】
請求項４に記載の二重偏心弁において、
前記弁体が前記全閉位置に配置された状態であって、前記回転軸の前記基端部に固定された前記弁ギヤを、前記回転軸を中心に前記基端部の側から視た状態において、前記回転軸の前記軸線を原点とし、Ｘ軸を水平方向とし、Ｙ軸を鉛直方向とする直交座標系を想定した場合に、＋Ｘ軸方向かつ＋Ｙ軸方向を第１象限、−Ｘ軸方向かつ＋Ｙ軸方向を第２象限、−Ｘ軸方向かつ−Ｙ軸方向を第３象限、＋Ｘ軸方向かつ−Ｙ軸方向を第４象限としたとき、前記弁座と前記弁体が前記第３象限及び前記第４象限に配置され、前記弁ギヤの一部と前記全閉ストッパとの前記当接点が、前記第１象限又は前記第４象限に配置され、前記弁ギヤが時計方向へ回転する方向に前記スプリング力が作用し、
前記弁体は、前記全閉位置となる前記第３象限及び前記第４象限と前記全開位置となる前記第１象限及び前記第４象限との間で回動するように構成され、前記弁体が回動するときに、前記弁ギヤの前記歯部の任意の一部と前記中間ギヤの任意の一部との当接点が、前記第１象限又は前記第４象限に配置される
ことを特徴とする二重偏心弁。
【請求項７】
請求項３に記載の二重偏心弁において、
前記弁ギヤは、外周の一部に複数の歯を含む歯部が形成されることと、
前記駆動源の前記駆動力を前記弁ギヤへ伝えるための中間ギヤと
を更に備え、
前記弁体は、前記全閉位置となる前記第３象限及び前記第４象限と前記全開位置となる前記第２象限及び前記第３象限との間で回動するように構成され、前記弁体が回動するときに、前記弁ギヤの前記歯部の任意の一部と前記中間ギヤの任意の一部との当接点が、前記第２象限又は前記第３象限に配置される
ことを特徴とする二重偏心弁。
【請求項８】
請求項４に記載の二重偏心弁において、
前記弁体が前記全閉位置に配置された状態であって、前記回転軸の前記基端部に固定された前記弁ギヤを、前記回転軸を中心に前記基端部の側から視た状態において、前記回転軸の前記軸線を原点とし、Ｘ軸を水平方向とし、Ｙ軸を鉛直方向とする直交座標系を想定した場合に、＋Ｘ軸方向かつ＋Ｙ軸方向を第１象限、−Ｘ軸方向かつ＋Ｙ軸方向を第２象限、−Ｘ軸方向かつ−Ｙ軸方向を第３象限、＋Ｘ軸方向かつ−Ｙ軸方向を第４象限としたとき、前記弁座と前記弁体が前記第３象限及び前記第４象限に配置され、前記弁ギヤの一部と前記全閉ストッパとの前記当接点が、前記第２象限又は前記第３象限に配置され、前記弁ギヤが反時計方向へ回転する方向に前記スプリング力が作用し
前記弁体は、前記全閉位置となる前記第３象限及び前記第４象限と前記全開位置となる前記第２象限及び前記第３象限との間で回動するように構成され、前記弁体が回動するときに、前記弁ギヤの前記歯部の任意の一部と前記中間ギヤの任意の一部との当接点が、前記第２象限又は前記第３象限に配置される
ことを特徴とする二重偏心弁。